(57)【要約】【課題】異常時に、即座に安定した動作を保障する。【解決手段】本発明のゲートウェイ装置１０は、第１の通信端末３０で用いる情報と第２の通信端末４０で用いる情報とが互いに異なる場合、この互いに異なる情報を相互に変換する変換部１１と、変換部１１により変換した情報を、この情報に基づいて、第１の通信端末３０と第２の通信端末４０との回線交換を行うＩＰ交換機２０に転送する転送部１２と、ＩＰ交換機２０との接続状態を判定する接続状態判定部１３と、接続状態判定部１３によりＩＰ交換機２０との接続状態が、接続されていないと判定した場合には、ＩＰ交換機２０にかわって、第１の通信端末３０と第２の通信端末４０との回線交換を行う回線交換部１４と、を具備して構成される。【選択図】      図１
2015222849.tif 000002
【特許請求の範囲】
【請求項１】
第１の通信端末で用いる情報と第２の通信端末で用いる情報とを相互に変換する変換手段と、
前記変換手段により変換した変換情報を、この変換情報に基づいて、第１の通信端末と第２の通信端末との回線交換を行う回線交換装置に転送する転送手段と、
前記回線交換装置との接続状態を判定する接続状態判定手段と、
前記接続状態判定手段により前記回線交換装置と接続されていないと判定された場合には、前記回線交換装置にかわって、第１の通信端末と第２の通信端末との回線交換を行う回線交換手段と、を具備する、
ことを特徴とするゲートウェイ装置。
【請求項２】
請求項１記載のゲートウェイ装置と、
前記回線交換装置と、を具備する、
ことを特徴とする回線交換システム。
【請求項３】
前記接続判定手段により前記回線交換装置と接続されていると判定された場合には、前記回線交換装置が前記第１の通信端末と前記第２の通信端末との回線交換を行う、
ことを特徴とする請求項２記載の回線交換システム。
【請求項４】
第１の通信端末で用いる情報及び第２の通信端末で用いる情報が互いに異なる場合、この互いに異なる情報をゲートウェイ装置にて相互に変換し、
変換された変換情報に基づいて、回線交換装置にて第１の通信端末と第２の通信端末との回線交換を行い、
定期的に前記ゲートウェイ装置にて前記回線交換装置の接続状態を判定し、
前記回線交換装置の接続状態が、接続されていないと判定した場合には、前記回線交換装置にかわって、前記ゲートウェイ装置にて第１の通信端末と第２の通信端末との回線交換を行う、
ことを特徴とする回線交換方法。
【発明の詳細な説明】
【技術分野】
【０００１】
本発明は、ゲートウェイ装置、回線交換システム、及び回線交換方法に関し、特に、システム内で接続障害が生じた場合における通信端末同士の通信を可能にするゲートウェイ装置、回線交換システム、及び回線交換方法に関する。
【背景技術】
【０００２】
システム内で接続障害が生じた場合における通信端末同士の通信を可能にするものとして、特許文献１には、ＩＰ電話システム、ＩＰ交換機、ＩＰ端末、ＩＰ交換機のバックアップ方法、およびＩＰ端末のログイン方法が開示されている。なお、「ＩＰ」とは、「Ｉｎｔｅｒｎｅｔ  Ｐｒｏｔｏｃｏｌ」の略である。
【０００３】
この特許文献１は、例えば、ＩＰ交換機の接続状態に障害が発生した場合、バックアップＩＰ交換機を待機状態から運用状態に切り替えている。そして、特許文献１は、バックアップＩＰ交換機を待機状態から運用状態に切り替え、運用状態となったバックアップＩＰ交換機にログインすることで、通信端末同士の安定した動作を保障している。
【先行技術文献】
【特許文献】
【０００４】
【特許文献１】特開２００８−２３６４０４号公報
【発明の概要】
【発明が解決しようとする課題】
【０００５】
ところで、上記特許文献１は、上述したように、回線交換装置（ＩＰ交換機）の接続状態に障害が発生した場合（以下、異常時という）、バックアップ用の回線交換装置を待機状態から運用状態に切り替えている。
【０００６】
このため、上記特許文献１では、バックアップ用の回線交換装置を運用状態に切り替えた後に、再度、各通信端末にてバックアップ用の回線交換装置にログインする必要がある。
【０００７】
これにより、上記特許文献１では、バックアップ用の回線交換装置へのログインが完了するまでは、安定した動作の保障を可能にしているか否かが定かではない。したがって、上記特許文献１では、異常時に、即座に安定した動作の保障を可能にする点で改善の余地がある。
【０００８】
そこで、本発明の目的は、異常時に、即座に安定した動作を保障することが可能なゲートウェイ装置、回線交換システム、及び回線交換方法を提供することにある。
【課題を解決するための手段】
【０００９】
上記目的を達成するために、本発明のゲートウェイ装置は、第１の通信端末で用いる情報と第２の通信端末で用いる情報とを相互に変換する変換手段と、上記変換手段により変換した変換情報を、この変換情報に基づいて、第１の通信端末と第２の通信端末との回線交換を行う回線交換装置に転送する転送手段と、上記回線交換装置との接続状態を判定する接続状態判定手段と、上記接続状態判定手段により上記回線交換装置と接続されていないと判定された場合には、上記回線交換装置にかわって、第１の通信端末と第２の通信端末との回線交換を行う回線交換手段と、を具備して構成される。
【００１０】
上記目的を達成するために、本発明の回線交換システムは、上記ゲートウェイ装置と、上記回線交換装置と、を具備して構成されている。
【００１１】
上記目的を達成するために、本発明の回線交換方法は、第１の通信端末で用いる情報及び第２の通信端末で用いる情報が互いに異なる場合、この互いに異なる情報をゲートウェイ装置にて相互に変換し、変換された変換情報に基づいて、回線交換装置にて第１の通信端末と第２の通信端末との回線交換を行い、定期的に上記ゲートウェイ装置にて上記回線交換装置の接続状態を判定し、上記回線交換装置の接続状態が、接続されていないと判定した場合には、上記回線交換装置にかわって、上記ゲートウェイ装置にて第１の通信端末と第２の通信端末との回線交換を行う、ことを特徴とする。
【発明の効果】
【００１２】
本発明によれば、異常時に、即座に安定した動作を保障することができる。
【図面の簡単な説明】
【００１３】
【図１】本発明の一実施形態（第１の実施形態）に係るゲートウェイ装置、このゲートウェイ装置を具備する回線交換システムの構成を示すシステム構成図である。
【図２】本発明の他の実施形態（第２の実施形態）に係るゲートウェイ装置、このゲートウェイ装置を具備する回線交換システムの構成を示すシステム構成図である。
【図３】本発明の他の実施形態（第２の実施形態）に係る通信端末の記憶部に記憶される通信端末設定情報を示す図である。
【図４】本発明の他の実施形態（第２の実施形態）に係るゲートウェイ装置の記憶部に記憶されるゲートウェイ装置設定情報を示す図である。
【図５】本発明の他の実施形態（第２の実施形態）に係る回線交換システムにおける接続状態判定処理のシーケンスを示す図である。
【図６】本発明の他の実施形態（第２の実施形態）に係る異常時の回線交換処理におけるシーケンスの一例を示す図である。
【図７】本発明の他の実施形態（第２の実施形態）に係る異常時の回線交換処理におけるシーケンスの他例を示す図である。
【発明を実施するための形態】
【００１４】
以下、図面を用いて、本発明の実施形態について説明する。
【００１５】
（第１の実施形態）
図１を用いて、本発明の一実施形態（第１の実施形態）について説明する。図１は、本実施形態（第１の実施形態）に係るゲートウェイ装置１０、このゲートウェイ装置１０を具備する回線交換システムの構成を示すシステム構成図である。
【００１６】
図１に例示されるように、回線交換システムは、主に、ゲートウェイ装置１０及びＩＰ交換機（回線交換装置）２０を具備している。このゲートウェイ装置１０は、第１の通信端末３０で用いる情報と第２の通信端末４０で用いる情報との情報種別が互いに異なる場合、この互いに異なる情報種別を相互に変換する役目を果たしている。
【００１７】
また、ＩＰ交換機２０は、ゲートウェイ装置１０にて変換された情報に基づいて、第１の通信端末３０と第２の通信端末４０との回線交換を行う役目を果たしている。
【００１８】
なお、ＩＰ交換機２０は、上述したように、第１の通信端末３０と第２の通信端末４０との回線交換を行う役目を果たしているが、この回線交換については周知であるため、その説明を省略する。
【００１９】
本実施形態において、ゲートウェイ装置１０は、主に、変換部（変換手段）１１、転送部（転送手段）１２、接続状態判定部（接続状態判定手段）１３及び回線交換部（回線交換手段）１４を具備している。
【００２０】
この変換部１１は、第１の通信端末３０で用いる情報と第２の通信端末４０で用いる情報を相互に変換する役目を果たしている。ここで、変換とは、例えば、音声等のアナログ信号をデジタル信号に変換するに限られず、同じ種別の信号も含めていう。すなわち、変換とは、同じ種別の信号であっても、発信先側の通信プロトコルを相手先の通信プロトコルに変換する場合も含めていう。
【００２１】
また、ゲートウェイ装置１０の転送部１２は、変換部１１により変換した情報を、この情報に基づいて、第１の通信端末３０と第２の通信端末４０との回線交換を行うＩＰ交換機２０に転送する役目を果たしている。
【００２２】
また、ゲートウェイ装置１０の接続状態判定部１３は、ＩＰ交換機２０との接続状態を判定する役目を果たしている。
【００２３】
また、ゲートウェイ装置１０の回線交換部１４は、ＩＰ交換機２０との接続状態が、接続されていないと判定した場合には、ＩＰ交換機２０にかわって、第１の通信端末３０と第２の通信端末４０との回線交換を行う役目を果たしている。
【００２４】
このように、本実施形態のゲートウェイ装置１０は、ＩＰ交換機２０との接続状態が、接続されていないと判定した場合には、バックアップ用のＩＰ交換機を用いずに、回線交換部１４にて、すなわち、ゲートウェイ装置１０自体で回線交換を行っている。
【００２５】
ここで、ＩＰ交換機２０に障害が生じた際に、例えば、バックアップ用のＩＰ交換機を用いて、第１の通信端末３０と第２の通信端末４０との回線交換を行う場合、バックアップ用のＩＰ交換機を待機状態から運用状態に切り替える必要がある。
【００２６】
このように、バックアップ用のＩＰ交換機を用いて、第１の通信端末３０と第２の通信端末４０との回線交換を行う場合、バックアップ用のＩＰ交換機を待機状態から運用状態に切り替えるまでの時間を要してしまう。
【００２７】
また、ＩＰ交換機２０に障害が生じた場合、上述したように、バックアップ用のＩＰ交換機を運用状態に切り替える必要があるが、さらに、切り替えた後に、再度、このバックアップ用のＩＰ交換機にアクセスする必要がある。
【００２８】
このため、バックアップ用のＩＰ交換機を用いて、第１の通信端末３０と第２の通信端末４０との回線交換を行う場合、バックアップ用のＩＰ交換機を運用状態に切り替えるために時間を要する。
【００２９】
また、バックアップ用のＩＰ交換機を用いて、第１の通信端末３０と第２の通信端末４０との回線交換を行う場合、運用状態に切り替えた後に、さらに、再度、バックアップ用のＩＰ交換機にアクセスするために時間を要してしまう。
【００３０】
したがって、バックアップ用のＩＰ交換機を用いて、第１の通信端末３０と第２の通信端末４０との回線交換を行う場合、異常時に、即座に安定した動作の保障を可能にする点で改善の余地がある。
【００３１】
これに対し、本実施形態では、ゲートウェイ装置１０にて常時、ＩＰ交換機２０に障害が生じたか否かを判定する。そして、本実施形態では、ＩＰ交換機２０に障害が生じたと判定した場合には、このゲートウェイ装置１０にて第１の通信端末３０と第２の通信端末４０との回線交換を可能にしている。
【００３２】
すなわち、バックアップ用のＩＰ交換機を運用状態に切り替えたり、切り替えた後に、再度、アクセスしたりする必要がなく、第１の通信端末３０と第２の通信端末４０との回線交換を可能にしている。
【００３３】
これにより、本実施形態では、バックアップ用のＩＰ交換機を用いた場合における第１の通信端末３０と第２の通信端末４０との回線交換を可能にするまでに要する時間を短縮することが可能になる。
【００３４】
よって、本実施形態では、障害が発生した場合であっても、第１の通信端末３０と第２の通信端末４０との回線交換を復旧させるまでに要する時間を短縮することが可能になるため、即座に安定した動作を保障することができる。
【００３５】
（第２の実施形態）
図２乃至図７を用いて、本発明の他の実施形態（第２の実施形態）について説明する。まず、図２を用いて、本実施形態（第２の実施形態）の構成について説明する。図２は、本実施形態（第２の実施形態）に係るゲートウェイ装置１００、及びこのゲートウェイ装置１００を具備する回線交換システムの構成図である。
【００３６】
（ゲートウェイ装置１００及び回線交換システムの構成）
図２に例示されるように、本実施形態の回線交換システムは、主に、ゲートウェイ装置１００及びＩＰ交換機２００を具備している。このゲートウェイ装置１００は、構内ＬＡＮ９１とＩＰネットワーク９２の間（異種回線間）を接続する中継装置である。なお、「ＬＡＮ」とは、「Ｌｏｃａｌ  Ａｒｅａ  Ｎｅｔｗｏｒｋ」の略である。
【００３７】
すなわち、ゲートウェイ装置１００は、主に、第１の通信端末３００で用いる情報と第２の通信端末４００で用いる情報との情報種別が互いに異なる場合、この互いに異なる情報種別を相互に変換する役目を果たしている。なお、このゲートウェイ装置１００の具体的な構成については、後述する。
【００３８】
また、ＩＰ交換機２００は、構内ＬＡＮ９１に接続され、第２の通信端末４００の通話路制御を行う内線交換用のサーバである。すなわち、ＩＰ交換機２００は、主に、ゲートウェイ装置１００にて変換された情報に基づいて、第１の通信端末３００と第２の通信端末４００との回線交換を行う役目を果たしている。
【００３９】
なお、ＩＰ交換機２００は、上述したように、ゲートウェイ装置１００にて変換された情報に基づいて、第１の通信端末３００と第２の通信端末４００との回線交換を行う役目を果たしているが、この回線交換については周知であるため、その説明を省略する。
【００４０】
本実施形態において、ゲートウェイ装置１００は、変換部（変換手段）１１０、転送部（転送手段）１２０、接続状態判定部（接続状態判定手段）１３０、回線交換部（回線交換手段）１４０及び記憶部１５０を具備している。
【００４１】
この変換部１１０は、第１の通信端末３００で用いる情報と第２の通信端末４００で用いる情報を相互に変換する役目を果たしている。ここで、変換とは、上述したように、音声等のアナログ信号をデジタル信号に変換するに限られず、同じ種別の信号であっても、発信先側の通信プロトコルを相手先の通信プロトコルに変換する場合も含めていう。
【００４２】
具体的には、この変換部１１０は、例えば、第２の通信端末４００からＩＰネットワーク９２を通じて送信された発呼信号を受信すると、ＩＰ通信用のＵＤＰパケットを生成している。なお、「ＵＤＰ」とは、「Ｕｓｅｒ  Ｄａｔａｇｒａｍ  Ｐｒｏｔｏｃｏｌ」の略である。
【００４３】
また、ゲートウェイ装置１００の転送部１２０は、変換部１１０により変換した情報を、例えば、第１の通信端末３００に転送する役目を果たしている。具体的には、転送部１２０は、変換部１１０にて変換されたＵＤＰパケットをカプセル化して構内ＬＡＮ９１に出力する。これにより、第２の通信端末４００から送信された発呼信号が、構内ＬＡＮ９１を介してＩＰ交換機２００に転送される。このとき、第２の通信端末４００から送信された発呼信号を記憶部１５０に記憶しておく。
【００４４】
また、ゲートウェイ装置１００の接続状態判定部１３０は、ＩＰ交換機２００との接続状態を判定する役目を果たしている。具体的には、接続状態判定部１３０は、定期的にＩＰ交換機２００に接続確認要求を行っている。
【００４５】
そして、ＩＰ交換機２００は、接続状態に障害が生じていない場合には、接続確認返信を行っている。一方、ＩＰ交換機２００は、接続状態に障害が生じている場合には、接続確認返信を行わない。
【００４６】
したがって、ゲートウェイ装置１００は、ＩＰ交換機２００に接続確認要求を行った際に、ＩＰ交換機２００による接続確認返信の有無に応じて、接続状態に障害が生じているか否かを把握することが可能になる。
【００４７】
また、ゲートウェイ装置１００の回線交換部１４０は、ＩＰ交換機２００との接続状態が、接続されていないと判定した場合には、ＩＰ交換機２００にかわって、第１の通信端末３００と第２の通信端末４００との回線交換を行う役目を果たしている。
【００４８】
また、ゲートウェイ装置１００の記憶部１５０は、ゲートウェイ装置１００にて各種の処理を行うための設定情報を記憶する役目を果たしている。また、記憶部１５０は、読み込んだＩＰアドレス等を一時的に記憶する役目を果たしている。
【００４９】
ここで、本実施形態では、第１の通信端末３００は、生成部３１０、送信部３２０及び記憶部３３０を具備している。この生成部３１０は、ＳＥＴＵＰメッセージ（発呼信号）及び応答信号を生成する役目を果たしている。
【００５０】
また、第１の通信端末３００の送信部３２０は、生成部３１０にて生成されたＳＥＴＵＰメッセージ（発呼信号）及び応答信号を送信する役目を果たしている。また、第１の通信端末３００の記憶部３３０は、第１の通信端末３００にて各種の処理を行うための設定情報を記憶する役目を果たしている。
【００５１】
したがって、本実施形態の第１の通信端末１００は、この通信端末自体でＳＥＴＵＰメッセージ（発呼信号）及び応答信号を生成し、ゲートウェイ装置１００とともに、回線交換処理を可能にしている。
【００５２】
次に、図３乃至図７を用いて、回線交換システムを用いた回線交換処理について説明する。なお、回線交換システムの回線交換処理に先立ち、通信端末設定情報３３１を第１の通信端末３００の記憶部３１０に記憶し、ゲートウェイ装置設定情報１５１をゲートウェイ装置１００の記憶部１５０に記憶して各種の設定処理を行う必要がある。したがって、まず、図３及び図４を用いて、通信端末設定情報３３１及びゲートウェイ装置設定情報１５１について説明する。
【００５３】
（通信端末設定情報）
図３を用いて、第１の通信端末３００の記憶部３３０に記憶された通信端末設定情報３３１について説明する。図３は、本実施形態（第２の実施形態）に係る第１の通信端末３００の記憶部３３０に記憶される通信端末設定情報３３１を示す図である。
【００５４】
図３に例示されるように、通信端末設定情報３３１には、接続先ゲートウェイ情報３３２と、この接続先ゲートウェイ情報３３２に対応するＩＰアドレス３３３と、が格納されている。
【００５５】
これにより、第１の通信端末３００は、自端末の発信番号及び通信端末の端末番号に基づいて、ＳＥＴＵＰメッセージを生成することが可能になる。したがって、第１の通信端末３００は、端末自体でＳＥＴＵＰメッセージ（発呼信号）を生成することが可能になるといえる。
【００５６】
また、第１の通信端末３００は、受信した発信番号に基づいて、応答信号を生成することが可能になる。したがって、第１の通信端末３００は、端末自体で、応答信号を生成することが可能になるといえる。
【００５７】
（ゲートウェイ装置設定情報）
図４を用いて、ゲートウェイ装置設定情報について説明する。図４は、本実施形態（第２の実施形態）に係るゲートウェイ装置１００の記憶部１５０に記憶されるゲートウェイ装置設定情報１５１を示す図である。
【００５８】
図４に例示されるように、ゲートウェイ装置１００の記憶部１５０に記録されるゲートウェイ装置設定情報１５１には、接続先情報１５２と、この接続先情報１５２に対応するＩＰアドレス情報１５３と、が格納されている。
【００５９】
また、ゲートウェイ装置設定情報１５１には、接続状態情報１５４が格納されている。この接続状態情報１５４は、接続先情報１５２に対応しており、接続先情報１５２の接続状態を指し示している。
【００６０】
具体的には、ＩＰアドレス情報１５３は、接続状態判定部１３０にて定期的に読み出される。そして、読み出されたＩＰアドレス情報１５３に対応するＩＰ交換機、例えば、ＩＰ交換機２００に接続の確認要求が行われる。
【００６１】
これに対し、ＩＰ交換機２００は、正常に動作している場合には、ゲートウェイ装置１００に接続の確認要求を返信する。一方、ＩＰ交換機２００は、正常に動作していない場合には、接続の確認要求を返信しない。
【００６２】
そして、ゲートウェイ装置１００は、接続状態判定部１３０にて、接続の確認要求に対する返信を確認すると、正常の動作であると判定し、接続状態として、正常に該当する値、例えば、「１」を設定する。
【００６３】
これに対し、ゲートウェイ装置１００は、接続状態判定部１３０にて、接続の確認要求に対する返信を確認しないと、障害であると判定し、接続状態として、障害に該当する値、例えば、「０」を設定する。
【００６４】
また、ゲートウェイ装置設定情報１５１には、ＩＰ交換機、例えば、ＩＰ交換機２００と同じ構内ＬＡＮ９１内に位置する通信端末（ＩＰ端末）の端末接続先状態１５５と、この端末接続先情報１５５に対応するＩＰアドレス情報１５６と、が格納されている。
【００６５】
また、ゲートウェイ装置設定情報１５１には、端末番号１５７が格納されている。この端末番号１５７は、端末接続先情報１５５に対応しており、端末接続先情報１５５のダイヤル番号を指し示している。
【００６６】
これにより、ゲートウェイ装置１００は、各通信端末から送信されたＳＥＴＵＰメッセージに基づいて、端末接続先情報１５５に対応するＩＰアドレス情報１５６及び端末番号１５７と対比し、相手先を解析することが可能になる。したがって、ゲートウェイ装置１００は、装置自体で回線交換処理を行うことが可能になるといえる。
【００６７】
（接続状態判定処理）
次に、図５を用いて、本実施形態（第２の実施形態）に係る回線交換システムにおける接続状態判定処理について説明する。図５は、本実施形態（第２の実施形態）に係る回線交換システムにおける接続状態判定処理のシーケンスを示す図である。
【００６８】
ステップＳ１００において、ゲートウェイ装置１００は、ＩＰ交換機２００のＩＰアドレス読出処理を行う。具体的には、この処理において、ゲートウェイ装置１００は、ゲートウェイ装置設定情報１５１から定期的にＩＰ交換機２００のＩＰアドレスを読み出す。
【００６９】
ここで、ゲートウェイ装置１００の記憶部１５０には、上述したように、ゲートウェイ装置設定情報１５１が記憶されている。そして、ゲートウェイ装置設定情報１５１には、ＩＰ交換機２００に対応する接続先情報１５２が格納されている。この接続先情報１５２は、ＩＰアドレス情報１５３及び接続状態情報１５４を定義付けている。
【００７０】
そして、ゲートウェイ装置１００は、ＩＰ交換機２００のＩＰアドレス情報１５３を読み出した際に、この読み出したＩＰ交換機２００のＩＰアドレス情報１５３に基づいて、ＩＰ交換機２００に接続確認要求を行う。ゲートウェイ装置１００にて接続確認要求が行われると、ＩＰ交換機２００は、接続障害が発生していなければ、接続確認返信を行う。
【００７１】
ステップＳ２００において、ゲートウェイ装置１００は、ＩＰ交換機２００による接続確認要求に対する接続確認返信の有無を判定する。この処理において、ゲートウェイ装置１００は、接続確認返信が有ると判定した場合には、ステップＳ４００に処理を移す。一方、この処理において、ゲートウェイ装置１００は、接続確認返信が無いと判定した場合には、ステップＳ３００に処理を移す。
【００７２】
ステップＳ３００において、ゲートウェイ装置１００は、上記ステップＳ２００にて接続確認返信が無いと判定した場合には、接続状態異常フラグをセットする。
【００７３】
ステップＳ４００において、ゲートウェイ装置１００は、接続状態更新処理を行う。具体的には、この処理において、ゲートウェイ装置１００は、上記ステップＳ２００にて接続確認返信が有ると判定した場合には、そのまま、ＩＰ交換機２００の接続状態が良である情報を維持する。
【００７４】
これに対し、ゲートウェイ装置１００は、上記ステップＳ２００にて接続確認返信が無いと判定した場合、上記ステップＳ３００にて接続状態異常フラグがセットされる。そして、ゲートウェイ装置１００は、このフラグに基づいて、フラグがセットされたＩＰ交換機２００の接続状態が不良である情報を更新する。
【００７５】
ステップＳ５００において、ゲートウェイ装置１００は、上記ステップＳ４００で更新された情報に基づいて、接続状態が正常か否かを判定する。この処理において、ゲートウェイ装置１００は、接続状態が正常であると判定した場合には、ステップＳ６００に処理を移す。一方、この処理において、ゲートウェイ装置１００は、接続状態が正常ではない、すなわち、異常であると判定した場合には、ステップＳ７００に処理を移す。
【００７６】
ステップＳ６００において、ゲートウェイ装置１００は、平時の回線交換処理を行う。なお、平時の回線交換処理は、ＩＰ交換機２００を用いて第１の通信端末３００と第２の通信端末４００との通信が行われるが、この平時の回線については、周知の技術であるため、簡易的な説明に留め、詳細な説明を省略する。
【００７７】
ステップＳ７００において、ゲートウェイ装置１００は、異常時の回線交換処理を行う。この処理において、ゲートウェイ装置１００は、上記ステップＳ６００における平時の回線交換処理と異なり、ゲートウェイ装置１００自体で回線交換処理を行う。なお、この異常時の回線交換処理については、図６及び図７を用いて後述する。
【００７８】
（平時の回線交換処理）
次に、平時の回線交換処理について、簡易的に説明する。まず、発信側の通信端末（ここでは、第１の通信端末３００とする。）にてダイヤルされた場合、ＩＰ交換機２００は、ゲートウェイ装置１００にて変換されたダイヤル番号を受信する。
【００７９】
そして、ＩＰ交換機２００は、受信したダイヤル番号に対応したＩＰアドレスを調べて、このＩＰアドレスが設定されている着信側の通信端末（ここでは、第２の通信端末４００とする。）に、セットアップ・メッセージを送信する。
【００８０】
このとき、ＩＰ交換機２００は、ゲートウェイ装置１００にアラート・メッセージを送信する。そして、ゲートウェイ装置１００は、アラート・メッセージを受信すると、第１の通信端末３００に呼待ち信号を出力する。
【００８１】
ＩＰ交換機２００が第２の通信端末４００にて送信されたオフフック信号を受信すると、メディアチャンネルがオープンされ、ゲートウェイ装置１００を介してＲＴＰ通信が確立し、第１の通信端末３００と第２の通信端末４００との間で通信が可能になる。
【００８２】
このように、平時の回線交換処理では、ＩＰ交換機２００にて回線交換に係る処理を行っている。ここで、ＩＰ交換機２００に接続障害が生じると、このＩＰ交換機２００では、回線交換に係る処理が困難となるため、例えば、バックアップ用のＩＰ交換機を待機状態から運用状態に切り替えることが想定される。
【００８３】
しかしながら、バックアップ用のＩＰ交換機を運用状態に切り替えるとすると、切り替えた後に、再度、このＩＰ交換機にアクセスする必要があったり、このＩＰ交換機自体が回線交換に係る情報を読み込む必要があったりすると考える。
【００８４】
したがって、バックアップ用のＩＰ交換機を用いて、このＩＰ交換機を待機状態から運用状態に切り替える場合、即座に安定した動作の保障を可能にしているかが定かではない。
【００８５】
これに対し、本実施形態では、バックアップ用のＩＰ交換機を用いずに、ゲートウェイ装置１００を用いて、第１の通信端末３００と第２の通信端末４００との通信を可能にしている。
【００８６】
（異常時の回線交換処理の一例）
以下、図６及び図７を用いて、異常時の回線交換処理について説明する。まず、図６を用いて、異常時の回線交換処理の一例について説明する。図６は、本実施形態（第２の実施形態）に係る異常時の回線交換処理におけるシーケンスの一例を示す図である。なお、図６では、第１の通信端末３００から第２の通信端末４００に向けて発呼する場合について例示している。
【００８７】
ステップＳ７０１において、第１の通信端末３００にてＩＰ端末番号ダイヤル操作処理が行われたとする。なお、この処理において、ＩＰ端末番号とは、利用者がダイヤルした端末番号であり、ここでは、第２の通信端末４００の端末番号をダイヤルしたとする。
【００８８】
ステップＳ７０２において、第１の通信端末３００は、呼信号生成処理を行う。具体的には、この処理において、第１の通信端末３００は、自端末の発信番号及び第２の通信端末４００の端末番号に基づいて、生成部３１０にてＳＥＴＵＰメッセージ（発呼信号）を生成する。なお、記憶部３３０に記憶されている通信端末設定情報３３１を用いて生成部３１０にてＳＥＴＵＰメッセージ（発呼信号）を生成している。
【００８９】
そして、第１の通信端末３００は、生成部３１０にてＳＥＴＵＰメッセージ（発呼信号）を生成した後に、このＳＥＴＵＰメッセージ（発呼信号）をゲートウェイ装置１００に送信する。
【００９０】
ステップＳ７１１において、ゲートウェイ装置１００は、呼信号解析処理を行う。具体的には、この処理において、ゲートウェイ装置１００は、第１の通信端末３００からＳＥＴＵＰメッセージ（発呼信号）を受信すると、このＳＥＴＵＰメッセージ（発呼信号）からＣＲ（呼番号）を読み出す。また、この処理において、ゲートウェイ装置１００は、読み出したＣＲ（呼番号）を記憶部１５０に記憶する。なお、「ＣＲ」とは、「Ｃａｌｌ  Ｒｅｆｅｒｅｎｃｅ」の略である。
【００９１】
ステップＳ７１２において、ゲートウェイ装置１００は、ＣＲ（呼番号）の有無を判定する。具体的には、この処理において、ゲートウェイ装置１００は、上記ステップＳ７１１にて読み出したＣＲ（呼番号）がゲートウェイ装置設定情報１５１に設定されている端末番号１５７と対比する。
【００９２】
この処理において、ゲートウェイ装置１００は、ＣＲ（呼番号）が設定されていないと判定した場合には、ステップＳ７２１に処理を移すため、第１の通信端末３００にその旨を送信する。
【００９３】
一方、この処理において、ゲートウェイ装置１００は、ＣＲ（呼番号）が設定されていると判定した場合には、ステップＳ７３１に処理を移すため、第２の通信端末４００にＳＥＴＵＰメッセージ（発呼信号）を送信する。
【００９４】
ステップＳ７２１において、第１の通信端末３００は、通信終了処理を行う。具体的には、この処理において、第１の通信端末３００は、利用者がダイヤルした端末番号の通信端末（ここでは、第２の通信端末４００）が、ゲートウェイ装置１００でバックアップする通信端末の対象外であるため、発信を終了する処理を行う。
【００９５】
ステップＳ７３１において、第２の通信端末４００は、呼信号応答処理を行う。具体的には、この処理において、第２の通信端末４００は、オフフック信号を送信する。
【００９６】
ステップＳ７４１において、ゲートウェイ装置１００は、呼信号応答処理を行う。具体的には、この処理において、ゲートウェイ装置１００は、第２の通信端末４００にてオフフック信号を受信すると、ＲＴＰ通信を確立し、第１の通信端末３００と第２の通信端末４００との間で通信が可能になる。
【００９７】
このように、本実施形態では、ＩＰ交換機２００に接続状態が異常時であった場合、バックアップ用のＩＰ交換機を用いずに、ゲートウェイ装置１００を介して第１の通信端末３００と第２の通信端末４００との通信を可能にしている。
【００９８】
（異常時の回線交換処理の他例）
次に、図７を用いて、異常時の回線交換処理の他例について説明する。図７は、本実施形態（第２の実施形態）に係る異常時の回線交換処理におけるシーケンスの他例を示す図である。なお、図７では、第２の通信端末４００から第１の通信端末３００に向けて発呼する場合について例示している。
【００９９】
ステップＳ７５１において、第２の通信端末４００にてＩＰ端末番号ダイヤル操作処理が行われたとする。なお、この処理において、ＩＰ端末番号とは、利用者がダイヤルした端末番号であり、ここでは、第１の通信端末３００をダイヤルしたとする。
【０１００】
ステップＳ７５２において、第２の通信端末４００は、呼信号生成処理を行う。具体的には、この処理において、第２の通信端末４００は、自端末の発信番号及び第１の通信端末３００の端末番号に基づいて、図示しない生成部にてＳＥＴＵＰメッセージ（発呼信号）を生成する。なお、図示しない記憶部に記憶されている通信端末設定情報３３１を用いて生成部にてＳＥＴＵＰメッセージ（発呼信号）を生成している。
【０１０１】
そして、第２の通信端末４００は、生成部にてＳＥＴＵＰメッセージ（発呼信号）を生成した後に、このＳＥＴＵＰメッセージ（発呼信号）をゲートウェイ装置１００に送信する。
【０１０２】
ステップＳ７６１において、ゲートウェイ装置１００は、呼信号解析処理を行う。具体的には、この処理において、ゲートウェイ装置１００は、第２の通信端末４００からＳＥＴＵＰメッセージ（発呼信号）を受信すると、このＳＥＴＵＰメッセージ（発呼信号）からＣＲ（呼番号）を読み出す。また、この処理において、ゲートウェイ装置１００は、読み出したＣＲ（呼番号）を記憶部３１０に記憶する。
【０１０３】
ステップＳ７６２において、ゲートウェイ装置１００は、ＣＲ（呼番号）の有無を判定する。具体的には、この処理において、ゲートウェイ装置１００は、ＣＲ（呼番号）と端末番号１５７とを対比する。この処理において、ゲートウェイ装置１００は、ＣＲ（呼番号）が無いと判定した場合には、ステップＳ７７１に処理を移すため、第２の通信端末４００に、その旨を送信する。
【０１０４】
一方、この処理において、ゲートウェイ装置１００は、ＣＲ（呼番号）が有ると判定した場合には、ステップＳ７８１に処理を移すため、第１の通信端末３００にＳＥＴＵＰメッセージ（発呼信号）を送信する。
【０１０５】
ステップＳ７７１において、第２の通信端末４００は、通信終了処理を行う。具体的には、この処理において、第２の通信端末４００は、利用者がダイヤルした端末番号の通信端末（ここでは、第１の通信端末３００）が、ゲートウェイ装置１００でバックアップする通信端末の対象外であるため、発信を終了する処理を行う。
【０１０６】
ステップＳ７８１において、第１の通信端末３００は、呼信号応答処理を行う。具体的には、この処理において、第１の通信端末３００は、オフフック信号を送信する。
【０１０７】
ステップＳ７９１において、ゲートウェイ装置１００は、呼信号応答処理を行う。具体的には、この処理において、ゲートウェイ装置１００は、第１の通信端末３００にてオフフック信号を受信すると、ＲＴＰ通信を確立し、第１の通信端末３００と第２の通信端末４００との間で通信が可能になる。
【０１０８】
このように、本実施形態では、ＩＰ交換機２００の接続状態に障害が発生した場合であっても、バックアップ用のＩＰ交換機を必要とせずに、ゲートウェイ装置１００を介して第１のＩＰ通信端末３００と第２のＩＰ通信端末４００との通信を可能にしている。
【０１０９】
したがって、本実施形態では、例えば、バックアップ用のＩＰ交換機にアクセスしたり、バックアップ用のＩＰ交換機自体が回線交換に係る情報を読み込んだりする必要がなくなる。
【０１１０】
よって、本実施形態では、ＩＰ交換機２００の接続状態に障害が生じた場合であっても、上述したように、ゲートウェイ装置１００にて通信を可能にしているため、即座に安定した動作を保障することができる。
【符号の説明】
【０１１１】
１０    ゲートウェイ装置
１１    変換部
１２    転送部
１３    接続状態判定部
１４    回線交換部
２０    ＩＰ交換機
３０    第１の通信端末
４０    第２の通信端末
【図１】
2015222849.tif 000003
【図２】
2015222849.tif 000004
【図３】
2015222849.tif 000005
【図４】
2015222849.tif 000006
【図５】
2015222849.tif 000007
【図６】
2015222849.tif 000008
【図７】
2015222849.tif 000009